(57)【要約】【課題】作業者がセンサを正確な向きで容易に固定できると同時に、センサを冷却する為の流路を狭くできる加熱調理器を提供する。【解決手段】  コンロのセンサケース４０は、対向方向Ｄ１の一方側に配置された第１壁部２３と、対向方向Ｄ１の他方側に配置された第２壁部２４とを有する。第１壁部２３と第２壁部２４との間にセンサ流路６０Ｃが形成される。センサ３０は、発光部及び受光部を含む基部７３Ａと、基部７３Ａから突出する凸部７４とを備える。センサ３２の基部７３Ａと第１壁部２３の第１部２３Ａとの間の幅Ｗ１１が、センサ３２の基部７３Ａと第２壁部２４の第１部２４Ａとの間の幅Ｗ１２よりも大きく、且つ、センサ３３の基部７３Ａと第１壁部２３の第３部２３Ｃとの間の幅Ｗ２１が、センサ３３の基部７３Ａと第２壁部２４の第３部２４Ｃとの間の幅Ｗ２２よりも小さい。【選択図】図９
2020193776.tif 000002
【特許請求の範囲】
【請求項１】
筐体と、
前記筐体に載置され、前記筐体の上部開口を閉塞する天板と、
前記天板の下側に配置された第１測距センサ及び第２測距センサと、
前記第１測距センサ及び前記第２測距センサを内包する流路を備え、ファンによって前記流路内に空気が流れる冷却部と
を備えた加熱調理器であって、
前記第１測距センサは、
発光部及び受光部を含む第１基部と、前記第１基部から突出する第１凸部とを備え、
前記第２測距センサは、
発光部及び受光部を含む第２基部と、前記第２基部から突出する第２凸部とを備え、
前記冷却部は、
互いに対向する一対の壁部であって、対向方向の一方側に配置された第１壁部と、前記対向方向の他方側に配置された第２壁部とを有し、
前記第１壁部と前記第２壁部との間に、前記第１壁部及び前記第２壁部に沿って延びる前記流路が形成され、
前記第１基部に対して前記第１凸部が前記対向方向の一方側に突出する向きで前記第１測距センサを前記流路内に固定する第１固定部と、
前記第２基部に対して前記第２凸部が前記対向方向の他方側に突出する向きで前記第２測距センサを前記流路内に固定する第２固定部と
を備え、
前記第１固定部に前記第１測距センサを固定した状態における前記第１基部と前記第１壁部との間の隙間幅が、前記第１基部と前記第２壁部との間の隙間幅よりも大きく、前記第１凸部は前記第１壁部に干渉せず、且つ、
前記第２固定部に前記第２測距センサを固定した状態における前記第２基部と前記第２壁部との間の隙間幅が、前記第２基部と前記第１壁部との間の隙間幅よりも大きく、前記第２凸部は前記第２壁部に干渉せず、
前記第１凸部が前記対向方向の他方側に突出する向きで前記第１測距センサが前記第１固定部に固定されたと仮定したときに、前記第１凸部と干渉する第１干渉部と、
前記第２凸部が前記対向方向の一方側に突出する向きで前記第２測距センサが前記第２固定部に固定されたと仮定したときに、前記第２凸部と干渉する第２干渉部と
を備えることを特徴とする加熱調理器。
【請求項２】
前記第１測距センサが前記第１固定部に固定された状態における前記第１基部と前記第１壁部との間の隙間幅は、前記第１凸部の突出量より大きくなるように構成されるとともに、
前記第２測距センサが前記第２固定部に固定された状態における前記第２基部と前記第２壁部との間の隙間幅は、前記第２凸部の突出量より大きくなるように構成され、
前記第１凸部が前記対向方向の他方側に突出する向きで前記第１測距センサが前記第１固定部に固定されたと仮定した状態における前記第１基部と前記第２壁部との間の隙間幅は、前記第１凸部の突出量よりも小さく構成されて、前記第２壁部のうち前記第１基部に対向する部分が前記第１干渉部とされ、
前記第２凸部が前記対向方向の一方側に突出する向きで前記第２測距センサが前記第２固定部に固定されたと仮定した状態における前記第２基部と前記第１壁部との間の隙間幅は、前記第２凸部の突出量よりも小さく構成されて、前記第１壁部のうち前記第２基部に対向する部分が前記第２干渉部とされる
ことを特徴とする請求項１に記載の加熱調理器。
【請求項３】
前記第１固定部及び前記第２固定部が、前記流路に沿った方向に配列されたことを特徴とする請求項１又は２に記載の加熱調理器。
【請求項４】
前記第１壁部及び前記第２壁部の間の幅が、前記第１基部及び前記第２基部が配置された部分よりも、前記第１基部及び前記第２基部の間の部分の方が小さいことを特徴とする請求項１から３の何れかに記載の加熱調理器。
【発明の詳細な説明】
【技術分野】
【０００１】
本発明は加熱調理器に関する。
【背景技術】
【０００２】
天板の下側に複数のセンサを備えた加熱調理器が知られている。特許文献１は、光センサを備えたガスコンロを開示する。光センサは、反射型の測距センサである。ガスコンロにおいて、光センサは、トッププレートの直下に設けられ、コンロの前方において左右方向に並んで配置される。光センサは、上方の異物との間の距離を検出可能である。ガスコンロは、光センサにより検出された異物との間の距離が所定の作動距離以下の時、電磁弁を閉じてガス流量を低減し、バーナの火力を弱火にする。
【先行技術文献】
【特許文献】
【０００３】
【特許文献１】特開２０１８−１２８１６１号公報
【発明の概要】
【発明が解決しようとする課題】
【０００４】
センサにおいて、異物との間の距離の検出が可能な領域（以下、「検出領域」という。）が非対称となるように配置される場合がある。この非対称性を有効的に利用し、例えば鍋の取っ手等の位置が検出領域から除外されるようにセンサの向きが調整される場合がある。この場合、検出領域を適切に制御するために、トッププレートに対するセンサの向きが重要となる。
【０００５】
又、上記のようにセンサがトッププレートに設けられる場合、グリル庫上に配置されたセンサの温度が上昇する可能性がある。これに対し、空気の流路を設けてセンサを内包し、冷却ファンによって流路に流した空気によりセンサを冷却する方法が知られている。この場合、空気を速い流速で流すことでセンサの冷却性能を高めるために、流路は狭い方が好ましい。
【０００６】
本発明の目的は、作業者がセンサを正確な向きで容易に固定できると同時に、センサを冷却する為の流路を狭くできる加熱調理器を提供することである。
【課題を解決するための手段】
【０００７】
請求項１に記載の加熱調理器は、筐体と、前記筐体に載置され、前記筐体の上部開口を閉塞する天板と、前記天板の下側に配置された第１測距センサ及び第２測距センサと、前記第１測距センサ及び前記第２測距センサを内包する流路を備え、ファンによって前記流路内に空気が流れる冷却部とを備えた加熱調理器であって、前記第１測距センサは、発光部及び受光部を含む第１基部と、前記第１基部から突出する第１凸部とを備え、前記第２測距センサは、発光部及び受光部を含む第２基部と、前記第２基部から突出する第２凸部とを備え、前記冷却部は、互いに対向する一対の壁部であって、対向方向の一方側に配置された第１壁部と、前記対向方向の他方側に配置された第２壁部とを有し、前記第１壁部と前記第２壁部との間に、前記第１壁部及び前記第２壁部に沿って延びる前記流路が形成され、前記第１基部に対して前記第１凸部が前記対向方向の一方側に突出する向きで前記第１測距センサを前記流路内に固定する第１固定部と、前記第２基部に対して前記第２凸部が前記対向方向の他方側に突出する向きで前記第２測距センサを前記流路内に固定する第２固定部とを備え、前記第１固定部に前記第１測距センサを固定した状態における前記第１基部と前記第１壁部との間の隙間幅が、前記第１基部と前記第２壁部との間の隙間幅よりも大きく、前記第１凸部は前記第１壁部に干渉せず、且つ、前記第２固定部に前記第２測距センサを固定した状態における前記第２基部と前記第２壁部との間の隙間幅が、前記第２基部と前記第１壁部との間の隙間幅よりも大きく、前記第２凸部は前記第２壁部に干渉せず、前記第１凸部が前記対向方向の他方側に突出する向きで前記第１測距センサが前記第１固定部に固定されたと仮定したときに、前記第１凸部と干渉する第１干渉部と、前記第２凸部が前記対向方向の一方側に突出する向きで前記第２測距センサが前記第２固定部に固定されたと仮定したときに、前記第２凸部と干渉する第２干渉部とを備えることを特徴とする。
【０００８】
請求項２に記載の加熱調理器において、前記第１測距センサが前記第１固定部に固定された状態における前記第１基部と前記第１壁部との間の隙間幅は、前記第１凸部の突出量より大きくなるように構成されるとともに、前記第２測距センサが前記第２固定部に固定された状態における前記第２基部と前記第２壁部との間の隙間幅は、前記第２凸部の突出量より大きくなるように構成され、前記第１凸部が前記対向方向の他方側に突出する向きで前記第１測距センサが前記第１固定部に固定されたと仮定した状態における前記第１基部と前記第２壁部との間の隙間幅は、前記第１凸部の突出量よりも小さく構成されて、前記第２壁部のうち前記第１基部に対向する部分が前記第１干渉部とされ、前記第２凸部が前記対向方向の一方側に突出する向きで前記第２測距センサが前記第２固定部に固定されたと仮定した状態における前記第２基部と前記第１壁部との間の隙間幅は、前記第２凸部の突出量よりも小さく構成されて、前記第１壁部のうち前記第２基部に対向する部分が前記第２干渉部とされるとよい。
【０００９】
請求項３に記載の加熱調理器の前記複数の固定部が、前記流路に沿った方向に配列されるとよい。
【００１０】
請求項４に記載の加熱調理器の前記第１壁部及び前記第２壁部の間の幅が、前記第１基部及び前記第２基部が配置された部分よりも、前記第１基部及び前記第２基部の間の部分の方が小さいとよい。
【００１１】
請求項１に記載の加熱調理器によれば、冷却部の流路において、第１基部と第１壁部との間の隙間幅が、第１基部と第２壁部との間の隙間幅よりも大きい。又、冷却部の流路において、第２基部と第２壁部との間の隙間幅が、第２基部と第１壁部との間の隙間幅よりも大きい。第１測距センサ及び第２測距センサが、それぞれ対向方向において反対向きに固定された場合、第１測距センサの第１凸部は第１干渉部に干渉し、且つ、第２測距センサの第２凸部は第２干渉部に干渉する。このため、作業者が第１測距センサ及び第２測距センサをそれぞれ対向方向において反対向きに固定することが抑制される。従って、作業者は、測距センサを正確な向きで固定することが容易に可能となる。
【００１２】
請求項２に記載の加熱調理器によれば、第１測距センサ及び第２測距センサがそれぞれ対向方向において反対向きに固定されることを、第１壁部及び第２壁部により適切に抑制できる。
【００１３】
請求項３に記載の加熱調理器によれば、流路のうち少なくとも複数の固定部が収容される部位は、複数の固定部の配列方向に沿って延びる。流路を流れる空気は、この部位で壁部等により邪魔されることなくスムーズに流れる。従って、加熱調理器は、流路に空気をスムーズに流すことによって、複数の測距センサを適切に冷却できる。
【００１４】
請求項４に記載の加熱調理器によれば、冷却部の流路を、第１測距センサと第２測距センサとの間の部分で小さくできる。従って、流路を流される空気の流速を速くすることができるので、空気によって測距センサを効率的に冷却できる。
【図面の簡単な説明】
【００１５】
【図１】コンロ１の斜視図である。
【図２】コンロ１の平面図である。
【図３】天板３の下面に固定したセンサケース４０に対して、左ダクト部７１と右ダクト部７２を介して、左フロントパネル８０と右フロントパネル９０が接続した状態の斜視図である。
【図４】天板３、電装基板１００、及び、センサケース４０の分解斜視図である。
【図５】センサケース４０の上面側の斜視図である。
【図６】センサケース４０の下面側の斜視図である。
【図７】センサケース４０の下面側の平面図である。
【図８】センサ３０、保持部７６、及び、センサケース４０の分解斜視図である。
【図９】図７の二点鎖線で囲まれた部分を拡大した平面図である。
【発明を実施するための形態】
【００１６】
以下、本発明の実施形態を説明する。以下に記載される装置の構造などは、特定的な記載がない限り、それのみに限定する趣旨ではなく、単なる説明例である。図面は、本発明が採用しうる技術的特徴を説明する為に用いられるものである。
【００１７】
＜コンロ１の概要＞
図１〜図３を参照し、コンロ１の構造を説明する。図１に示すコンロ１は、ビルトインコンロである。コンロ１は筐体２と天板３を備える。筐体２の上側に天板３が載置される。筐体２は、上部に開口部（図示略）を有する。天板３は、筐体２の開口部を上側から閉塞する。天板３は、ガラス製の本体板３Ａ、及び、本体板３Ａの下面に固定された固定部３Ｂ（図３参照）を有する。本体板３Ａの上面左側には左バーナ４、上面右側には右バーナ５、上面後側にはグリル用の排気口７が夫々設けられる。本体板３Ａの下面には、一部透過性を有する非透過性の印刷が施される。筐体２の前面の中央部には、グリル扉８が手前側に引き出し可能に設けられる。グリル扉８は、筐体２内部に設けられるグリル庫の前側のグリル開口（図示略）を開閉する。グリル扉８の前面の上部には、取手８Ａが前方に突出して設けられる。筐体２の前面において、グリル扉８の左側の上下には、化粧板６Ａ、６Ｂが取り付けられ、右側の上下には、化粧板６Ｃ、６Ｄが取り付けられる。
【００１８】
図３に示す左フロントパネル８０及び右フロントパネル９０は、それぞれ、筐体２に固定される。図１に示すように、右フロントパネル９０の前面上部に設けられた電源スイッチ１９は、化粧板６Ｃの前面上部の開口６６から前方に突出する。筐体２の前面から化粧板６Ａ〜６Ｄを取り外すと、図３に示す左フロントパネル８０及び右フロントパネル９０の前面が露出する。左フロントパネル８０及び右フロントパネル９０のそれぞれの前面下部には、空気入口（図示略）が設けられる。左右の空気入口は、外部の空気を内側に取り入れる。
【００１９】
図２に示すように、天板３の本体板３Ａの上面の前側部において、左バーナ４の前側には、左バーナ４を操作する為の左操作部１１が設けられ、右バーナ５の前側には、右バーナ５を操作する為の右操作部１２が設けられる。左操作部１１には、左バーナ４の点火、消火、及び火力の増減等の操作を、指先のタッチで受け付ける複数の受付部と、タイマ時間、使用状態等に応じて点灯又は点滅する表示部等が設けられる。右操作部１２にも、左操作部１１と同様に、右バーナ５の操作に対応する複数の受付部、表示部等が設けられる。左バーナ４と右バーナ５に挟まれる中央部の前側には、グリル用発光表示部１３が設けられる。グリル用発光表示部１３には、グリル使用中に点灯する表示部が設けられる。左操作部１１、右操作部１２、及びグリル用発光表示部１３において、受付部は、ユーザによるタッチ操作の位置を示すために天板３に印刷されたボタン、マーク、又は記号等である。表示部は、天板３の本体板３Ａの非印刷領域であって、透過性を有する。以下、左操作部１１、右操作部１２、及びグリル用発光表示部１３を総称して「入出力部１４」という。
【００２０】
天板３の本体板３Ａの下面の前側部には、上面に設けられた入出力部１４に対応するように、電装基板１００（図４参照）が接着剤、又は両面テープ等で貼着される。その電装基板１００を下方から内包するように、センサケース４０が固定部３Ｂ（４参照）を介して固定され、天板３の下側に支持される。センサケース４０は、天板３との間に形成される空間に電装基板１００を内包すると共に、天板３の下面に貼着された電装基板１００を下方から支持する。
【００２１】
図２に示すように、左操作部１１の後側には、平面視略円弧状のセンサ用窓部１５が設けられ、右操作部１２の後側には、平面視略円弧状のセンサ用窓部１６が設けられ、グリル用発光表示部１３の後側には、平面視略矩形状のセンサ用窓部１７が設けられる。センサ用窓部１５〜１７は、天板３の本体板３Ａの非印刷領域であって、透過性を有する。センサ用窓部１５の下方に、左から右にセンサ３１〜３４が夫々配置される。センサ用窓部１６の下方には、左から右にセンサ３５〜３８が夫々配置される。センサ用窓部１７の下方には、センサ３９が配置される。センサ３１〜３９は、上方に位置する異物までの距離を測定可能な一般的な測距センサであり、例えば赤外線センサである。センサケース４０は後述のセンサ収容部４５（図６参照）を有し、センサ収容部４５にセンサ３１〜３９を内包する。
【００２２】
＜電装基板１００＞
図４に示すように、電装基板１００は、左右方向に長い矩形状の基板本体１００Ａの上面に、導光板、近接センサ、及び拡散板が積層して形成される。基板本体１００Ａの上面に、複数のＬＥＤが実装される。導光板は、基板本体１００Ａの複数のＬＥＤから発光された光を上方に導き、且つ、光の拡散を防止するために設けられる。近接センサは、天板３の本体板３Ａの上面に対するユーザのタッチ操作を検出するために設けられた、静電容量型の周知の近接センサである。拡散板は、基板本体１００Ａの複数のＬＥＤ２１から発光された光を拡散するために設けられる。
【００２３】
電装基板１００は、天板３の本体板３Ａの下面に貼付される。電装基板１００の複数のＬＥＤ及び近接センサは、天板３の本体板３Ａのうち対応する入出力部１４の下側に配置される。従って、例えば、電装基板１００の複数のＬＥＤから発光された光は、入出力部１４の表示部を介して透過され、天板３の上方に出射可能となる。又、電装基板１００の近接センサは、入出力部１４の受付部に対してユーザが行うタッチ操作を検出することが可能となる。
【００２４】
＜センサケース４０＞
図３、図４に示すように、センサケース４０は、左右方向に延びる樹脂製の構造物である。センサケース４０は、本体部４１を備える。本体部４１は、平面視左右方向に延びるケース体である。図３に示すように、センサケース４０の左端部には、左フロントパネル８０の空気入口との間に亘って上下方向に延びる略筒状の左ダクト部７１が接続される。左ダクト部７１の内側には、冷却ファン（図示略）が取り付けられる。冷却ファンによって左フロントパネル８０の空気入口に取り込まれた冷却空気は、左ダクト部７１を介してセンサケース４０に供給される。センサケース４０の右端部には、右フロントパネル９０の空気入口との間に亘って上下方向に延びる略筒状の右ダクト部７２が接続される。右ダクト部７２の内側には、冷却ファン（図示略）が取り付けられる。冷却ファンによって右フロントパネル９０の空気入口に取り込まれた冷却空気は、右ダクト部７２を介してセンサケース４０に供給される。供給された冷却空気は、センサケース４０内の電装基板１００及びセンサ３１〜３９（図４〜図７参照）を冷却する。
【００２５】
図５〜図７に示すように、センサケース４０の本体部４１は、基板収容部４４、センサ収容部４５を備える。図５の紙面手前側の面は、センサケース４０の上面に対応する。図６、図７の紙面手前側の面は、センサケース４０の下面に対応する。図５に示すように、基板収容部４４は、本体部４１の前側部分に対応し、覆部５６及び周壁部５７を有する。覆部５６は、平面視左右方向に長い略矩形状に形成され、上下方向と直交する。覆部５６は、天板３の本体板３Ａの下面に対向する。周壁部５７は、覆部５６の周端部から上方に延びる。基板収容部４４は、上方に向けて開口する箱状に形成され、その内側には、天板３の本体板３Ａの下面に貼着された電装基板１００（図４参照）が内包される。
【００２６】
基板収容部４４の覆部５６の左端部には左流入口５２が設けられ、右端部には右流入口５３が設けられる。左流入口５２は、上下方向に延びる左筒部４２の上端部と連通する。右流入口５３は、上下方向に延びる右筒部４３の上端部と連通する。基板収容部４４の覆部５６における左右方向略中央の前側部分には、左右方向に並ぶ前側排出口５４Ａ、５４Ｂが設けられる。前側排出口５４Ａの後方には、開口部５５が設けられる。基板収容部４４の内側には、基板流路５０Ａ、５０Ｂが形成される。基板流路５０Ａには、左流入口５２から流入した冷却空気が流れ、前側排出口５４Ａから排出される。基板流路５０Ｂには、右流入口５３から流入した冷却空気が流れ、前側排出口５４Ｂから排出される。
【００２７】
図６に示すように、センサ収容部４５は、本体部４１の後側部分に対応し、底面視二つの円弧が左右方向に並ぶ細長い波状に形成される。センサ収容部４５は、ケース部６０Ａ及び蓋部６０Ｂを有する。ケース部６０Ａは、下方に向けて開口する箱状に形成される。蓋部６０Ｂは、ケース部６０Ａの開口を下側から覆う。以下、ケース部６０Ａの左側の円弧状の部位を、「左ケース部２９１」という。ケース部６０Ａの右側の円弧状の部位を、「右ケース部２９２」という。左ケース部２９１及び右ケース部２９２により挟まれた中央の部位を、「中央ケース部２９３」という。左ケース部２９１内に、冷却空気が流れるセンサ流路６０Ｃが形成される。右ケース部２９２内に、冷却空気が流れるセンサ流路６０Ｄが形成される。
【００２８】
図７に示すように、左ケース部２９１に沿って形成される円弧を「左円弧Ｒ１」といい、右ケース部２９２に沿って形成される円弧を「右円弧Ｒ２」という。左円弧Ｒ１の中心を基準とした半径方向を、「対向方向Ｄ１」という。対向方向Ｄ１のうち、左円弧Ｒ１の中心から外側に向かう側を、「対向方向Ｄ１の一方側」といい、対向方向Ｄ１の一方側と反対側を、「対向方向Ｄ１の他方側」という。右円弧Ｒ２の中心を基準とした半径方向を、「対向方向Ｄ２」という。対向方向Ｄ２のうち、右円弧Ｒ２の中心から外側に向かう側を、「対向方向Ｄ２の一方側」といい、対向方向Ｄ２の一方側と反対側を、「対向方向Ｄ２の他方側」という。対向方向Ｄ１、Ｄ２のそれぞれの一方側は、図７において前側に対応し、対向方向Ｄ１、Ｄ２のそれぞれの他方側は、図７において後側に対応する。
【００２９】
図６、図７に示すように、左ケース部２９１は、底部２９Ａ、第１壁部２３、第２壁部２４を有する。右ケース部２９２は、底部２９Ｂ、第１壁部２５、第２壁部２６を有する。図７に示すように、左ケース部２９１の底部２９Ａは、左円弧Ｒ１に沿って湾曲しながら延びる。左ケース部２９１の第１壁部２３及び第２壁部２４は、それぞれ、底部２９Ａから下方に向けて延び、対向方向Ｄ１に対向する。第１壁部２３は、対向方向Ｄ１の一方側に配置される。第２壁部２４は、対向方向Ｄ１の他方側に配置される。センサ流路６０Ｃは、左ケース部２９１の第１壁部２３、第２壁部２４の間に形成される。センサ流路６０Ｃは、第１壁部２３、第２壁部２４に沿って左円弧Ｒ１と同一方向に延びる。
【００３０】
図７に示すように、センサ流路６０Ｃにおける対向方向Ｄ１の間隔（以下、「センサ流路６０Ｃの幅」という。）は、左円弧Ｒ１に沿った方向の略中央部で狭くなる。センサ流路６０Ｃを流れる冷却空気の流速は、センサ流路６０Ｃの幅が狭くなっている部分で上昇する。コンロ１では、センサ流路６０Ｃの幅が狭くなる部分を設けることにより、冷却空気の流速を上昇させて冷却効果を高めている。
【００３１】
同様に、図６、図７に示すように、右ケース部２９２の底部２９Ｂは、右円弧Ｒ２に沿って湾曲しながら延びる。右ケース部２９２の第１壁部２５及び第２壁部２６は、それぞれ、底部２９Ｂから下方に向けて延び、対向方向Ｄ２に対向する。第１壁部２５は、対向方向Ｄ２の一方側に配置される。第２壁部２６は、対向方向Ｄ２の他方側に配置される。センサ流路６０Ｄは、右ケース部２９２の第１壁部２５、第２壁部２６の間に形成される。センサ流路６０Ｄは、第１壁部２５、第２壁部２６に沿って右円弧Ｒ２と同一方向に延びる。左ケース部２９１の底部２９Ａ、第１壁部２３、第２壁部２４と、右ケース部２９２の底部２９Ｂ、第１壁部２５、第２壁部２６との夫々の形状は同一である。
【００３２】
図７に示すように、センサ流路６０Ｄにおける対向方向Ｄ２の間隔（以下、「センサ流路６０Ｄの幅」という。）は、右円弧Ｒ２に沿った方向の略中央部で狭くなる。センサ流路６０Ｃを流れる冷却空気の流速は、センサ流路６０Ｄの幅が狭くなっている部分で上昇する。コンロ１では、センサ流路６０Ｄの幅が狭くなる部分を設けることにより、冷却空気の流速を上昇させて冷却効果を高めている。
【００３３】
図６、図７に示すように、中央ケース部２９３は、底部２９Ｃ、第１壁部２７、及び第２壁部２８を有する。底部２９Ｃは、左ケース部２９１の底部２９Ａと、右ケース部２９２の底部２９Ｂとの間に亘って延びる。第１壁部２７及び第２壁部２８は、それぞれ、底部２９Ｃから下方に向けて延び、前後方向に対向する。第１壁部２７は、第２壁部２８に対して前側に配置される。
【００３４】
左ケース部２９１の底部２９Ａには、左側から右側に向かって順に、センサ３１〜３４が固定される。右ケース部２９２の底部２９Ｂには、左側から右側に向かって順に、センサ３５〜３８が固定される。センサ３１〜３４は、センサ流路６０Ｃに内包される。センサ３５〜３８は、センサ流路６０Ｄに内包される。中央ケース部２９３の底部２９Ｃには、センサ３９が固定される。図５に示すように、センサ３１〜３９は、それぞれ、発光部４７と受光部４８を備える。センサ３１〜３９の夫々の発光部４７と受光部４８は、ケース部６０Ａの底部２９Ａ、２９Ｂ、２９Ｃに形成される筒状の凹部４５１内に露出する。センサケース４０が天板３の固定部３Ｂに固定された状態で、センサ３１〜３９は、天板３の本体板３Ａのセンサ用窓部１５〜１７の直下に支持される。センサ３１〜３９を総称して「センサ３０」という。センサ３０の構成の詳細については後述する。
【００３５】
図８に示すように、左ケース部２９１の底部２９Ａに、複数の固定部８１が設けられる。複数の固定部８１は、第１固定部８１Ａ、８１Ｂ、第２固定部８１Ｃ、８１Ｄを含む。第１固定部８１Ａ、８１Ｂ、第２固定部８１Ｃ、８１Ｄは、この順番で、左円弧Ｒ１（図７参照）に沿って左側から右側に向けて並ぶ。又、第１固定部８１Ａ、８１Ｂ、第２固定部８１Ｃ、８１Ｄは、センサケース４０のセンサ流路６０Ｃ（図６参照）に沿った方向に配列される。第１固定部８１Ａ、８１Ｂ、第２固定部８１Ｃ、８１Ｄは、それぞれ、センサ３１、３２、３３、３４をセンサケース４０に固定するために設けられる。
【００３６】
各固定部８１は、貫通孔８２Ａ、８２Ｂ、ネジ孔８３を含む。貫通孔８２Ａは、センサ３０の発光部４７（図５参照）に対応する位置に設けられる。貫通孔８２Ｂは、センサ３０の受光部４８（図５参照）に対応する位置に設けられる。図５に示す筒状の凹部４５１は、底部２９Ａの上面において貫通孔８２Ａ、８２Ｂを覆うように設けられる。第１固定部８１Ａ、８１Ｂと第２固定部８１Ｃ、８１Ｄとでは、左円弧Ｒ１（図７参照）に沿った方向における貫通孔８２Ａ、８２Ｂの並び順が相違する。第１固定部８１Ａ、８１Ｂにおいて、貫通孔８２Ａは貫通孔８２Ｂに対して左側に設けられる。第２固定部８１Ｃ、８１Ｄにおいて、貫通孔８２Ａは貫通孔８２Ｂに対して右側に設けられる。
【００３７】
ネジ孔８３は、底部２９Ａの下面のうち貫通孔８２Ａ、８２Ｂに対して対向方向Ｄ１（図７参照）の一方側又は他方側に設けられる。第１固定部８１Ａ、８１Ｂと第２固定部８１Ｃ、８１Ｄとでは、貫通孔８２Ａ、８２Ｂに対してネジ孔８３が設けられる位置が相違する。第１固定部８１Ａ、８１Ｂにおいて、ネジ孔８３は貫通孔８２Ａ、８２Ｂに対して対向方向Ｄ１の一方側に設けられる。第２固定部８１Ｃ、８１Ｄにおいて、ネジ孔８３は貫通孔８２Ａ、８２Ｂに対して対向方向Ｄ１の他方側に設けられる。
【００３８】
なお、詳細な説明は省略するが、右ケース部２９２の底部２９Ｂにも、左ケース部２９１の底部２９Ａの複数の固定部８１と同様に配置された複数の固定部８１（第１固定部８１Ａ、８１Ｂ、第２固定部８１Ｃ、８１Ｄ）が設けられる。右ケース部２９２の第１固定部８１Ａ、８１Ｂ、第２固定部８１Ｃ、８１Ｄは、この順番で、右円弧Ｒ２（図７参照）に沿って左側から右側に向けて並ぶ。第１固定部８１Ａ、８１Ｂ、第２固定部８１Ｃ、８１Ｄは、それぞれ、センサ３５、３６、３７、３８をセンサケース４０に固定するために設けられる。
【００３９】
図６に示すように、ケース部６０Ａの左端部には、基板収容部４４側に向けて延びる前方突出部６１１が設けられる。前方突出部６１１の底面には、上記の左流入口５２が配置される。左流入口５２は、左筒部４２の上方に配置され、基板収容部４４とセンサ収容部４５を互いに連通する。ケース部６０Ａの右端部には、基板収容部４４側に向けて延びる前方突出部６２１が設けられる。前方突出部６２１の底面には、上記の右流入口５３が配置される。右流入口５３は、右筒部４３の上方に配置され、基板収容部４４とセンサ収容部４５を互いに連通する。
【００４０】
中央ケース部２９３の底部２９Ｃのうちセンサ３９の左側に隣接する位置から下方に延びる仕切壁６３１は、センサ流路６０Ｃ、６０Ｄを仕切る。左流入口５２から流入した冷却空気は、センサ流路６０Ｃの左端側から右端側に向けて流れる。右流入口５３から流入した冷却空気は、センサ流路６０Ｄの右端側から左端側に向けて流れる。
【００４１】
蓋部６０Ｂの左端部には、上下方向に延びる左筒部４２が設けられる。左筒部４２の上端開口部は、ケース部６０Ａの前方突出部６１１に配置され、センサ流路６０Ｃの左端部に連通する。左筒部４２の下端開口部４２１は、前方突出部６１１から下方に突出する。下端開口部４２１には、矩形枠状の弾性体４２２が固定される。左筒部４２の下端開口部４２１は、図３に示す左ダクト部７１の上端部の流出口７１１に弾性体４２２を介して連通する。図６に示すように、蓋部６０Ｂの右端部にも、上下方向に延びる右筒部４３が設けられる。右筒部４３の上端開口部は、ケース部６０Ａの前方突出部６２１に配置され、センサ流路６０Ｄの右端部に連通する。右筒部４３の下端開口部４３１は、前方突出部６２１から下方に突出する。下端開口部４３１には、矩形枠状の弾性体４３２が固定される。右筒部４３の下端開口部４３１は、図３に示す右ダクト部７２の上端部の流出口７２１に弾性体４３２を介して連通する。
【００４２】
図６に示すように、蓋部６０Ｂの左右方向中央には、下方に突出する略四角筒状の接続筒６８が設けられる。接続筒６８は、センサ流路６０Ｃの右端部、及び、センサ流路６０Ｄの左端部と連通する。接続筒６８の下方に突出する下端部には、底面視略矩形枠状の弾性体６９が貼着される。接続筒６８の内側には、仕切壁６８１が設けられる。仕切壁６８１は、接続筒６８の内側を左右に仕切る。仕切壁６８１の下端部は、ケース部６０Ａの仕切壁６３１の上端部に当接する。接続筒６８は、弾性体６９を介して、筐体２内の空気流路（非図示）の前端部に装着される。該空気流路は、天板３の本体板３Ａの排気口７からグリル庫の上方を通って前方に延び、接続筒６８に接続する。
【００４３】
＜センサ３０、保持部７６＞
図８に示すように、センサ３０は、基部７３Ａ、一対の突出板部７３Ｂ、凸部７４を備える。基部７３Ａは、一方向に長い直方体状を有する。基部７３Ａの上側に、発光部４７及び受光部４８（図５参照）が設けられる。発光部４７及び受光部４８は、基部７３Ａの長手方向に並ぶ。一対の突出板部７３Ｂは、基部７３Ａの長手方向の両端部から外側に突出する。一対の突出板部７３Ｂは、上下方向に貫通する貫通孔を有する。凸部７４は、基部７３Ａの短手方向の一方側から突出する。凸部７４は、基部７３Ａにおいて発光部４７及び受光部４８により検出された検出結果が出力されるハーネス９１（図７参照）が接続されるコネクタである。
【００４４】
保持部７６１〜７６４は、センサケース４０の固定部８１にセンサ３０を固定する為に設けられる。保持部７６１〜７６４は、左円弧Ｒ１（図７参照）に沿って左側から右側に向けて並ぶ。保持部７６１〜７６４は、センサ３１〜３４と第１固定部８１Ａ、８１Ｂ、第２固定部８１Ｃ、８１Ｄとの間に介在してセンサ３１〜３４を保持し、且つ、センサケース４０の第１固定部８１Ａ、８１Ｂ、第２固定部８１Ｃ、８１Ｄに固定される。以下、保持部７６１〜７６４を総称して「保持部７６」という。
【００４５】
保持部７６は、一部が上下方向に貫通した略筒状の支持体７６Ａを備える。センサ３０の基部７３Ａは、支持体７６Ａの下部開口から内部に進入し、支持体７６Ａ内で支持される。基部７３Ａの発光部４７及び受光部４８は、支持体７６Ａの上部開口から露出する。保持部７６は更に、支持体７６Ａのうち左円弧Ｒ１（図７参照）に沿った方向の両端部に、一対の抑え部７６Ｂを有する。一対の抑え部７６Ｂは、それぞれ、上下方向に延びる円柱状を有し、下面の中心にネジ孔を有する。基部７３Ａ内でセンサ３０の基部７３Ａが支持された状態で、センサ３０の一対の突出板部７３Ｂのそれぞれの貫通孔と、一対の抑え部７６Ｂのそれぞれのネジ孔とは、上下方向に並ぶ。センサ３０は、一対の突出板部７３Ｂのそれぞれの貫通孔に挿通されたネジが、保持部７６の一対の抑え部７６Ｂのそれぞれのネジ孔に螺合することによって、保持部７６に保持される。
【００４６】
保持部７６は更に、対向方向Ｄ１（図７参照）の一方側又は他方側から突出する突出板部７６Ｃを有する。保持部７６１、７６２の突出板部７６Ｃは、支持体７６Ａから対向方向Ｄ１の一方側に突出する。保持部７６３、７６４の突出板部７６Ｃは、支持体７６Ａから対向方向Ｄ１の他方側に突出する。突出板部７６Ｃには、上下方向に貫通する貫通孔が形成される。保持部７６は、突出板部７６Ｃの貫通孔に挿通されたネジが、センサケース４０の固定部８１のネジ孔８３に螺合することによって、センサケース４０に固定される。
【００４７】
センサ３１〜３４のそれぞれの基部７３Ａは、保持部７６によりセンサケース４０に固定された状態で、センサ流路６０Ｃ（図６参照）の延びる左円弧Ｒ１に沿って一列に並ぶように配列される。又、保持部７６１を介して第１固定部８１Ａ（図８参照）に固定されたセンサ３１は、基部７３Ａに対して凸部７４が対向方向Ｄ１の一方側に突出する向きで、センサ流路６０Ｃ内に固定される。同様に、保持部７６２を介して第１固定部８１Ｂ（図８参照）に固定されたセンサ３２は、基部７３Ａに対して凸部７４が対向方向Ｄ１の一方側に突出する向きで、センサ流路６０Ｃ内に固定される。一方、保持部７６３を介して第２固定部８１Ｃ（図８参照）に固定されたセンサ３３は、基部７３Ａに対して凸部７４が対向方向Ｄ１の他方側に突出する向きで、センサ流路６０Ｃ内に固定される。同様に、保持部７６４を介して第２固定部８１Ｄ（図８参照）に固定されたセンサ３４は、基部７３Ａに対して凸部７４が対向方向Ｄ１の他方側に突出する向きで、センサ流路６０Ｃ内に固定される。即ち、センサ３１、３２とセンサ３３、３４とでは、基部７３Ａに対して凸部７４が突出する方向が、対向方向Ｄ１において互いに反対方向を向く。
【００４８】
なお、詳細な説明は省略するが、右ケース部２９２の固定部８１にセンサ３５〜３８を固定するための保持部７６は、左ケース部２９１の保持部７６と同様の配置及び向きで配置される。右ケース部２９２において固定部８１によりセンサ３５〜３８が固定された場合、センサ３５〜３８のそれぞれの基部７３Ａは、センサ流路６０Ｄ（図６参照）の延びる右円弧Ｒ２に沿って一例に並ぶように配列される。センサ３５、３６とセンサ３７、３８とでは、基部７３Ａに対して凸部７４が突出する方向が、対向方向Ｄ２において互いに反対方向を向く。
【００４９】
図２に示すように、センサケース４０が天板３の下側に固定された状態で、センサ３１〜３９は、本体板３Ａのセンサ用窓部１５〜１７の下側に配置される。センサ３１〜３９の発光部４７から発光した赤外光は、センサ用窓部１５〜１７を介して上方に出射可能となる。又、センサ３１〜３９の受光部４８は、発光部４７が発光した赤外光を、センサ用窓部１５〜１７を介して受光可能となる。例えば、発光部４７が発光した赤外光が異物に反射して受光部４８により受光された場合、センサ３１〜３９は、受光部４８が受光した反射光の強度に基づき、所定高さ範囲内に異物があるか否かを検出できる。
【００５０】
なお、保持部７６が固定部８１を介してセンサケース４０に固定された状態で、保持部７６により保持されたセンサ３０は傾斜する。このため、センサ３０の発光部４７から発光される光は、垂直上方に対して前方に傾斜した向きに出射される。出射方向の上下方向に対する傾斜角度は特に限定されないが、１０°以下が好ましく、更に好ましくは５°である。センサ３０の発光部４７からの光を垂直上方に対して傾斜した向きに出射させる理由は、コンロ１の上方に通常配置されるレンジフードにより反射した反射光が、センサ３０による異物の検知精度に影響を及ぼすことを抑制するためである。
【００５１】
＜第１壁部２３、２５及び第２壁部２４、２６と、センサ３０との位置関係＞
図９を参照し、第１壁部２３、２５及び第２壁部２４、２６と、センサ３０との位置関係について説明する。図９において、ハーネス９１は省略されている。センサケース４０の左ケース部２９１の第１壁部２３は、第１部２３Ａ、第２部２３Ｂ、第３部２３Ｃを有する。第１部２３Ａは、第１壁部２３の左端部から右方に向けて、左円弧Ｒ１と平行に延びる。第３部２３Ｃは、第１壁部２３の右端部から左方に向けて、左円弧Ｒ１と平行に延びる。対向方向Ｄ１において左円弧Ｒ１の中心から第１部２３Ａまでの長さは、左円弧Ｒ１の中心から第３部２３Ｃまでの長さよりも長い。第２部２３Ｂは、第１部２３Ａの右端部と第３部２３Ｃの左端部との間に架設され、対向方向Ｄ１と平行に延びる。第２部２３Ｂは、左ケース部２９１のセンサ流路６０Ｃの左右方向中央よりも左側に配置される。センサ３２の凸部７４は、第１壁部２３の第２部２３Ｂに対して左方に近接する。
【００５２】
センサケース４０の左ケース部２９１の第２壁部２４は、第１部２４Ａ、第２部２４Ｂ、第３部２４Ｃを有する。第１部２４Ａは、第２壁部２４の左端部から右方に向けて、左円弧Ｒ１と平行に延びる。第３部２４Ｃは、第２壁部２４の右端部から左方に向けて、左円弧Ｒ１と平行に延びる。対向方向Ｄ１において左円弧Ｒ１の中心から第１部２４Ａまでの長さは、左円弧Ｒ１の中心から第３部２４Ｃまでの長さよりも長い。第２部２４Ｂは、第１部２４Ａの右端部と第３部２４Ｃの左端部との間に架設され、対向方向Ｄ１と平行に延びる。第２部２４Ｂは、左ケース部２９１のセンサ流路６０Ｃの左右方向中央よりも右側に配置される。センサ３３の凸部７４は、第２壁部２４の第２部２４Ｂに対して右方に近接する。第２部２４Ｂは、第１壁部２３の第２部２３Ｂよりも右側に配置される。
【００５３】
第１固定部８１Ｂに固定されたセンサ３２の基部７３Ａのうち対向方向Ｄ１の一方側の端部と、第１壁部２３の第１部２３Ａとの間の対向方向Ｄ１の隙間の間隔を、隙間幅Ｗ１１と表記する。センサ３２の基部７３Ａのうち対向方向Ｄ１の他方側の端部と、第２壁部２４の第１部２４Ａとの間の対向方向Ｄ１の隙間の間隔を、隙間幅Ｗ１２と表記する。この場合、隙間幅Ｗ１１は隙間幅Ｗ１２よりも大きい。第２固定部８１Ｃに固定されたセンサ３３の基部７３Ａのうち対向方向Ｄ１の一方側の端部と、第１壁部２３の第３部２３Ｃとの間の対向方向Ｄ１の隙間の間隔を、隙間幅Ｗ２１と表記する。センサ３３の基部７３Ａのうち対向方向Ｄ１の他方側の端部と、第２壁部２４の第３部２４Ｃとの間の対向方向Ｄ１の隙間の間隔を、隙間幅Ｗ２２と表記する。この場合、隙間幅Ｗ２１は隙間幅Ｗ２２よりも小さい。又、隙間幅Ｗ１１、Ｗ２２は、何れも、センサ３０の凸部７４の突出量よりも大きい。これに対し、隙間幅Ｗ１２、Ｗ２１は、何れも、センサ３０の凸部７４の突出量よりも小さい。
【００５４】
第１壁部２３の第１部２３Ａと、第２壁部２４の第１部２４Ａとの間の対向方向Ｄ１の間隔を、幅Ｗ３１と表記する。第１壁部２３の第３部２３Ｃと、第２壁部２４の第３部２４Ｃとの間の対向方向Ｄ１の間隔を、幅Ｗ３２と表記する。第１壁部２３の第３部２３Ｃと、第２壁部２４の第１部２４Ａとの間の対向方向Ｄ１の間隔を、幅Ｗ３３と表記する。幅Ｗ３３は、左円弧Ｒ１に沿って延びる方向において、第１固定部８１Ｂに固定されたセンサ３２の基部７３Ａと、第２固定部８１Ｃに固定されたセンサ３３の基部７３Ａとの間に挟まれた部分における第１壁部２３と第２壁部２４との間の幅に対応する。幅Ｗ３１、Ｗ３２は同一であり、幅Ｗ３３よりも大きい。このため、センサ流路６０Ｃの幅は、センサ３２、３３のそれぞれの基部７３Ａにより挟まれた部分で、他の部分よりも狭くなっている。
【００５５】
図７に示すように、右ケース部２９２の第１壁部２５は、第１部２５Ａ、第２部２５Ｂ、第３部２５Ｃを有する。第１部２５Ａ、第２部２５Ｂ、第３部２５Ｃは、左ケース部２９１の第１部２３Ａ、第２部２３Ｂ、第３部２３Ｃに対応する。第２壁部２６は、第１部２６Ａ、第２部２６Ｂ、第３部２６Ｃを有する。第１部２６Ａ、第２部２６Ｂ、第３部２６Ｃは、左ケース部２９１の第１部２４Ａ、第２部２４Ｂ、第３部２４Ｃに対応する。詳細説明は省略するが、第１壁部２５及び第２壁部２６と、センサ３５〜３８のそれぞれの基部７３Ａとの間の隙間幅Ｗ１１、Ｗ１２、Ｗ２１、Ｗ２２、幅Ｗ３１、Ｗ３２、Ｗ３３の関係は、第１壁部２３及び第２壁部２４と、センサ３１〜３４のそれぞれの基部７３Ａとの間の隙間幅及び幅の関係と一致する。
【００５６】
＜ハーネス９１の配置＞
図７に示すように、ハーネス９１は、センサケース４０のセンサ収容部４５内に配置される。ハーネス９１は、複数のケーブルが束状となった基幹部９２と、基幹部９２から分岐する分岐部９３Ａ〜９３Ｉとを備える。ハーネス９１の基幹部９２は、センサ収容部４５の左端部から内部に挿通され、センサ収容部４５の右端部に亘って延びる。より詳細には、ハーネス９１の基幹部９２は、センサ３１の後方且つ第２壁部２４の第１部２４Ａとセンサ３１との間、センサ３２の後方且つ第２壁部２４の第１部２４Ａとセンサ３２との間、センサ３２、３３の間、センサ３３の前方且つ第１壁部２３の第３部２３Ｃとセンサ３３との間、センサ３４の前方且つ第１壁部２３の第３部２３Ｃとセンサ３３との間、センサ３９の後方、且つ第２壁部２８とセンサ３９との間、センサ３５の後方且つ第２壁部２６の第１部２３Ａとセンサ３５との間、センサ３６の後方且つ第２壁部２６の第１部２３Ａとセンサ３５との間、センサ３６、３７の間、及び、センサ３７の前方且つ第１壁部２５の第３部２５Ｃとセンサ３７との間を通過して、センサ収容部４５の先端部に至る。
【００５７】
即ちハーネス９１の基幹部９２は、センサ３０に対して、センサ３０の基部７３Ａ〜第１壁部２３、２５間の間隔と、センサ３０の基部７３Ａ〜第２壁部２４、２６間の間隔のうち狭い方を通過するように配設される。この場合、ハーネス９１の基幹部９２は、センサ３０を保持する保持部９６と第１壁部２３、２５又は第２壁部２４、２６との間に挟持され易くなり、且つ、センサ収容部４５から外れ難くなる。
【００５８】
分岐部９３Ａは、ハーネス９１の基幹部９２の先端部から延び、センサ３８の左側を通過して、センサ３８の凸部７４（図８参照）に接続される。分岐部９３Ｂは、センサ３７の右前方において基幹部９２から分岐し、センサ３７の右側を通過して、センサ３７の凸部７４に接続される。分岐部９３Ｃは、センサ３６の左後方において基幹部９２から分岐し、センサ３６の左側を通過して、センサ３６の凸部７４に接続される。分岐部９３Ｄは、センサ３５の右後方において基幹部９２から分岐し、センサ３５の右側を通過して、センサ３７の凸部７４に接続される。分岐部９３Ｅは、センサ３９の右後方において基幹部９２から分岐し、センサ３９の右側を通過して、センサ３９の凸部７４に接続される。
【００５９】
分岐部９３Ｆは、センサ３４の左前方において基幹部９２から分岐し、センサ３４の左側を通過して、センサ３４の凸部７４に接続される。分岐部９３Ｇは、センサ３３の右前方において基幹部９２から分岐し、センサ３３の右側を通過して、センサ３３の凸部７４に接続される。分岐部９３Ｈは、センサ３２の左後方において基幹部９２から分岐し、センサ３２の左側を通過して、センサ３２の凸部７４に接続される。分岐部９３Ｉは、センサ３１の右後方において基幹部９２から分岐し、センサ３１の右側を通過して、センサ３１の凸部７４に接続される。
【００６０】
＜電装基板１００及びセンサ３１〜３９の冷却方法＞
コンロ１の非図示の制御部は、左ダクト部７１及び右ダクト部７２内の冷却ファンを共に駆動する。冷却ファンの駆動に応じ、左フロントパネル８０及び右フロントパネル９０のそれぞれの空気入口から空気が吸い込まれる。吸い込まれた空気は、センサケース４０に向けて供給される冷却空気として、左ダクト部７１及び右ダクト部７２のそれぞれの内部を上方に流れる。左ダクト部７１内を流れた冷却空気は、センサケース４０の左筒部４２の下端開口部４２１から内側に流入する。右ダクト部７２内を流れた冷却空気は、センサケース４０の右筒部４３の下端開口部４３１から内側に流入する。
【００６１】
左筒部４２内に流入した冷却空気は、前方突出部６１１に設けられた左流入口５２によって、本体部４１の下面側と上面側に所定の比率で分流される。一方、右筒部４３内に流入した冷却空気も、前方突出部６２１に設けられた右流入口５３によって、本体部４１の下面側と上面側に所定の比率で分流される。左筒部４２内から本体部４１の下面側に流れた冷却空気は、センサ収容部４５に左端側から流入する。冷却空気は、センサ収容部４５のセンサ流路６０Ｃを左端側から中央側に向けて流れる。右筒部４３内から本体部４１の下面側に流れた冷却空気は、センサ収容部４５に右端側から流入する。冷却空気は、センサ収容部４５のセンサ流路６０Ｃを右端側から中央側に向けて流れる。これらにより、センサ３１〜３９が冷却空気によって冷却される。センサ流路６０Ｃを中央側に流れた冷却空気は、中央蓋部６５３に設けられた接続筒６８を介して外部に流出する。接続筒６８を介して外部に流出した冷却空気は、グリル庫上方の空気流路を通って排気口７より外部に排出される。
【００６２】
左筒部４２内から本体部４１の上面側に流れた冷却空気は、基板収容部４４に左端側から流入する。冷却空気は、基板収容部４４の基板流路５０Ａを左端側から中央側に向けて流れる。右筒部４３内から本体部４１の上面側に流れた冷却空気は、基板収容部４４に右端側から流入する。冷却空気は、基板収容部４４の基板流路５０Ｂを右端側から中央側に向けて流れる。これらにより、電装基板１００が冷却空気によって冷却される。基板流路５０Ａ、５０Ｂを中央側に流れた冷却空気は、前側排出口５４Ｂから外部に排出される。
【００６３】
＜本実施形態の主たる作用、効果＞
以下説明では、センサケース４０の左ケース部２９１の場合を例示して作用、効果を説明するが、センサケース４０の右ケース部２９２の場合についても同様の効果を奏する。センサケース４０の左ケース部２９１内のセンサ流路６０Ｃにおいて、センサ３２の基部７３Ａと第１壁部２３の第１部２３Ａとの間の隙間幅Ｗ１１は、センサ３２の基部７３Ａと第２壁部２４の第１部２４Ａとの間の隙間幅Ｗ１２よりも長い。一方、センサ３３の基部７３Ａと第１壁部２３の第３部２３Ｃとの間の隙間幅Ｗ２１は、センサ３３の基部７３Ａと第２壁部２４の第３部２４Ｃとの間の幅Ｗ２２よりも短い。センサ３１〜３４がそれぞれ第１固定部８１Ａ、８１Ｂ、第２固定部８１Ｃ、８１Ｄに固定された場合、対向方向Ｄ１の一方側に突出するセンサ３１、３２の凸部７４は、第１壁部２３に干渉せず、且つ、対向方向Ｄ１の他方側に突出するセンサ３３、３４の凸部７４は、第２壁部２４に干渉しない。一方、仮に、センサ３１〜３４が、それぞれ、誤って対向方向Ｄ１において反対向きに固定されようとした場合、センサ３１、３２のそれぞれの基部７３Ａと、第２壁部２４のうちセンサ３１、３２の基部７３Ａに対して対向方向Ｄ１の他方側に対向する第１部２４Ａとの間の隙間の間隔は、センサ３１、３２の凸部７４の突出量よりも小さくなる。従って、対向方向Ｄ１の他方側に突出するセンサ３１、３２の凸部７４は、第２壁部２４のうちセンサ３１、３２の基部７３Ａに対向する第１部２４Ａに干渉する。同様に、センサ３３、３４のそれぞれの基部７３Ａと、第１壁部２３のうちセンサ３３、３４の基部７３Ａに対して対向方向Ｄ１の一方側に対向する第３部２３Ｃとの間の隙間の間隔は、センサ３３、３４の凸部７４の突出量よりも小さくなる。従って、対向方向Ｄ１の一方側に突出するセンサ３３、３４の凸部７４は、第１壁部２３のうちセンサ３３、３４の基部７３Ａに対向する第３部２３Ｃに干渉する。このため、作業者がセンサ３１〜３４をそれぞれ対向方向Ｄ１において反対向きに誤って固定する不具合が抑制される。従って、作業者は、センサ３１〜３４を正確な向きで固定することが容易に可能となる。
【００６４】
なお上述のように、コンロ１では、センサ３０の発光部４７から発光される光の出射方向が前方に傾斜するように設計されている。このため、例えばセンサ３０が対向方向Ｄ１において反対向きに固定された場合、発光部４７から発光される光の出射方向が反対方向を向いてしまう。この場合、コンロ１において要求されるセンサ３０による異物の検出領域を満たすことができず、好ましくない。これに対し、コンロ１では、上記のようにセンサ３０が反対向きに固定されることが抑制される。従ってコンロ１は、異物の検出領域を適切に維持できる。
【００６５】
又、コンロ１は、左ケース部２９１内のセンサ流路６０Ｃにおいて、センサ３１〜３４のそれぞれの基部７３Ａと第１壁部２３及び第２壁部２４とのそれぞれの間の幅が等しい場合と比べて、センサ流路６０Ｃを狭くできる。この場合、センサ流路６０Ｃを流される冷却空気の流速を速くすることができるので、冷却空気によってセンサ３１〜３４を効率的に冷却できる。
【００６６】
更に、左ケース部２９１の固定部８１（第１固定部８１Ａ、８１Ｂ、第２固定部８１Ｃ、８１Ｄ）は、センサ流路６０Ｃに沿った方向にセンサ３１〜３４を配列して固定する。この場合、センサ流路６０Ｃを流れる冷却空気の流れが形成されやすい。一方、例えばセンサ３１〜３４がセンサ流路６０Ｃに沿った方向に対して対向方向Ｄ１にずれた位置に配置された場合、冷却空気は流れにくくなる。従って、コンロ１は、センサ流路６０Ｃ内で冷却空気をスムーズに流すことにより、センサ３１〜３４を効率的に冷却できる。
【００６７】
隙間幅Ｗ１１、Ｗ２２はセンサ３０の凸部７４の突出量よりも大きく、隙間幅Ｗ１２、Ｗ２１はセンサ３０の凸部７４の突出量よりも小さい。この場合、センサ３１〜３４が、それぞれ、仮に誤って対向方向Ｄ１において反対向きに固定されようとした場合、第１壁部２３及び第２壁部２４に対して凸部７４は確実に干渉する。従って、コンロ１は、センサ３１〜３４がそれぞれ対向方向Ｄ１において反対向きに固定されることを、より適切に抑制できる。
【００６８】
複数の固定部８１は、センサ流路６０Ｃに沿った方向に配列される。センサ流路６０Ｃを流れる冷却空気は、複数の固定部８１により邪魔されることなくスムーズに流れる。従って、コンロ１は、センサ流路６０Ｃに冷却空気をスムーズに流すことによって、センサ３１〜３４を適切に冷却できる。
【００６９】
センサ流路６０Ｃにおいて、幅Ｗ３１、Ｗ３２は同一であり、幅Ｗ３３よりも大きい。この場合、センサ流路６０Ｃを、センサ３２、３３の間の部分で小さくできる。従って、センサ流路６０Ｃを流される冷却空気の流速を速くすることができるので、冷却空気によってセンサ３１〜３４を効率的に冷却できる。
【００７０】
＜変形例＞
本発明は上記実施形態に限定されず、種々の変更が可能である。以下の説明では、センサケース４０の左ケース部２９１の場合を例示して変形例を説明するが、センサケース４０の右ケース部２９２の場合についても同様の変形例を適用可能である。
【００７１】
センサケース４０の第１壁部２３及び第２壁部２４、並びに、第１壁部２５及び第２壁部は、それぞれ、左右方向に直線状に延びていてもよい。センサ３０の凸部７４は、コネクタにより形成される場合に限定されず、他の構成部材が突出していてもよい。センサ３１〜３４のそれぞれの凸部７４の突出方向は、上記実施形態に限定されない。例えば、センサ３１、３３の凸部７４が対向方向Ｄ１の一方側に突出し、センサ３２、３４の凸部７４が対向方向Ｄ１の他方側に突出してもよい。左ケース部２９１に収容されるセンサ３０の数は、４つに限定されず、２つ以上の任意の数であってもよい。
【００７２】
隙間幅Ｗ１２、Ｗ２１はセンサ３０の凸部７４の突出量と同一であってもよい。第１壁部２３の第２部２３Ｂは、センサ流路６０Ｃの左右方向中央よりも右側に配置されてもよい。又、第２壁部２４の第２部２４Ｂは、センサ流路６０Ｃの左右方向中央よりも左側に配置されてもよい。この場合、第１固定部８１Ｂに固定されたセンサ３２の基部７３Ａと、第２固定部８１Ｃに固定されたセンサ３３の基部７３Ａとの間に挟まれた部分のセンサ流路６０Ｃの幅Ｗ３３は、幅Ｗ３１、Ｗ３２よりも大きくてもよい。
【００７３】
仮に、センサ３１〜３４が、それぞれ、誤って対向方向Ｄ１において反対向きに固定されようとした場合、対向方向Ｄ１の他方側に突出するセンサ３１、３２の凸部７４は、第２壁部２４の第１部２４Ａに干渉せず、代わりに、センサ流路６０Ｃ内に設けられた第１干渉部（例えば、底部２９Ａからセンサ流路６０Ｃ内に突出する突出部）と干渉してもよい。同様に、対向方向Ｄ１の一方側に突出するセンサ３３、３４の凸部７４は、第１壁部２３の第３部２３Ｃに干渉せず、代わりに、センサ流路６０Ｃ内に設けられた第２干渉部（例えば、底部２９Ａからセンサ流路６０Ｃ内に突出する突出部）と干渉してもよい。
【００７４】
上記実施形態のコンロ１は、ビルトインコンロであるが、テーブルコンロであってもよい。また、コンロバーナの数は、上記実施形態では二つであるが、一つ、又は三つ以上であってもよい。
【００７５】
＜その他＞
センサ３２、３６は、本発明の「第１測距センサ」の一例である。センサ３３、３７は、本発明の「第２測距センサ」の一例である。センサ流路６０Ｃ、６０Ｄは、本発明の「流路」の一例である。センサケース４０のセンサ収容部４５は、本発明の「冷却部」の一例である。センサ３２、３６の基部７３Ａは、本発明の「第１基部」に対応する。センサ３３、３７の基部７３Ａは、本発明の「第２基部」に対応する。センサ３２、３６の凸部７４は、本発明の「第１凸部」に対応する。センサ３３、３７の凸部７４は、本発明の「第２凸部」に対応する。第２壁部２４の第１部２４Ａは、本発明の「第１干渉部」に対応する。第１壁部２３の第３部２３Ｃは、本発明の「第２干渉部」に対応する。
【符号の説明】
【００７６】
１        ：コンロ
２        ：筐体
３        ：天板
２３、２５      ：第１壁部
２４、２６      ：第２壁部
３０、３１、３２、３３、３４、３５、３６、３７、３８、３９      ：センサ
４０      ：センサケース
４５      ：センサ収容部
４７      ：発光部
４８      ：受光部
６０Ｃ、６０Ｄ    ：センサ流路
７３      ：基部
７３Ａ    ：基部
７４      ：凸部
７６      ：保持部
８１      ：固定部
８１Ａ、８１Ｂ    ：第１固定部
８１Ｃ、８１Ｄ    ：第２固定部
Ｄ１、Ｄ２      ：対向方向
【図１】
2020193776.tif 000003
【図２】
2020193776.tif 000004
【図３】
2020193776.tif 000005
【図４】
2020193776.tif 000006
【図５】
2020193776.tif 000007
【図６】
2020193776.tif 000008
【図７】
2020193776.tif 000009
【図８】
2020193776.tif 000010
【図９】
2020193776.tif 000011